(57)【要約】【課題】  本発明は、抄紙機で製造されたすき入れが施された用紙の品質を検査するための静電気除去機能を有する送風装置を備えたライトテーブルに関するものである。【解決手段】    被検査対象のすき入れが施された枚葉紙が所定枚数積載された積載ブロックを載せるための検査物荷台、一枚ずつすき入れが施された枚葉紙を検査するための静電気除去機能を有する送風装置を備えたライトテーブル台及び検査が終了したすき入れが施された枚葉紙を積載するための検査済み荷台を有する静電気除去機能を有する送風装置を備えたライトテーブルである。【選択図】  図３
2013096705.tif 000002
【特許請求の範囲】
【請求項１】
被検査対象のすき入れが施された枚葉紙が所定枚数積載された積載ブロックを載せるための検査物荷台、一枚ずつすき入れが施された枚葉紙を検査するためのライトテーブル台及び検査が終了したすき入れが施された枚葉紙を積載するための検査済み荷台を有するライトテーブルであって、
前記検査物荷台は、筐体から成る第１の荷台及び第１の台座を有し、前記第１の荷台の筐体内に前記第１の台座を所定の傾斜角度にするための第１の荷台昇降装置が設けられ、前記第１の荷台と前記第１の台座は、傾斜角度の支点となる第１の固定部と前記第１の荷台昇降装置の第１の支柱によって固定され、前記第１の荷台の所定の箇所には、前記積載ブロックのすき入れが施された枚葉紙間にエアーを入れると共に、枚葉紙間に生じる静電気を除去するための静電気除去機能を有する送風装置を有し、
前記ライトテーブル台は、筐体から成るライトテーブルを有し、筐体から成る前記ライトテーブルの上面は、すき入れが施された枚葉紙を載せて検査するための光透過性板を有し、前記枚葉紙を載せて検査するための光透過性板は、所定の角度を有して配置され、前記ライトテーブルの筐体の内部は、光源及び拡散板を有することを特徴とする静電気除去機能を有する送風装置を備えたライトテーブル。
【請求項２】
前記静電気除去機能を有する送風装置は、送風するためのエアーを取り込むために装着されるエアーフィルタ、エアーを送るための送風ファン及び「＋」「−」の両極性のイオンを発生させるイオナイザを備えることを特徴とする請求項１記載の静電気除去機能を有する送風装置を備えたライトテーブル。
【請求項３】
前記ライトテーブル台は、第２の荷台を有し、前記第２の荷台の筐体内に前記ライトテーブルを有する第２の台座を所定の傾斜角度にするための第２の荷台昇降装置が設けられ、前記第２の荷台と前記ライトテーブルを有する第２の台座は、傾斜角度の支点となる第２の固定部と前記第２の荷台昇降装置の第２の支柱によって固定されていることを特徴とする請求項１又は２記載の静電気除去機能を有する送風装置を備えたライトテーブル。
【請求項４】
前記第１の荷台昇降装置及び前記第２の荷台昇降装置は、電動シリンダーによって荷台又はライトテーブルを所定の傾斜角にすることが可能なことを特徴とする請求項１乃至３いずれか一項記載の静電気除去機能を有する送風装置を備えたライトテーブル。
【発明の詳細な説明】
【技術分野】
【０００１】
本発明は、抄紙機で製造されたすき入れが施された用紙の品質を検査するための静電気除去機能を有する送風装置を備えたライトテーブルに関するものである。
【背景技術】
【０００２】
抄紙機で抄造されたすき入れが施された巻取紙は、断裁装置で枚葉紙に断裁される。断裁された多面版であるすき入れが施された枚葉紙は、所定の枚数が積載され、積載ブロックとして管理される。すき入れが施された枚葉紙の検査は、積載ブロックごとに熟練工による目視により検査される。
【０００３】
このとき、図１（ａ）に示すようにライトテーブル１´の検査物荷台２´に被検査対象のすき入れが施された枚葉紙５が所定枚数積載された積載ブロック６を置き、図１（ｂ）に示すように検査人が積載ブロック６から一枚ずつすき入れが施された枚葉紙５を手に取ってライトテーブル台３´に置き、すき入れの評価、地合むら、紙層内や表面に存在するごみ、ちり、油汚れ、インク滴、樹脂状異物、無機物小片、微細な孔、結束繊維等の検査を目視で行っている。検査前の積載ブロック６は、検査人が積載ブロック６から一枚ずつすき入れが施された枚葉紙５を手に取り易くするために、検査人自ら手作業で積載ブロックを捌き、すき入れが施された枚葉紙５間にエアーを入れている。図１（ｃ）に示すように検査が終了したすき入れが施された枚葉紙５は、検査済み荷台４´に積載される。このとき、不良と判断されたすき入れが施された枚葉紙５は、検査済み荷台４´に積載されず積載ブロックから取り除かれる。
【０００４】
ライトテーブルとしては、上面に透光性の拡散板を有する箱形のライトテーブル本体の内部に、平板状の反射板を配設すると共に反射板の上面に、複数の長管形光源をその内端一部を交互にラップして装着し、また長管形光源が交互にラップする範囲の反射板の反射率をラップしない範囲の反射率より低く構成したことを特徴とするライトテーブルが開示されている（例えば、特許文献１参照）。
【０００５】
また、サイドテーブルを有するライトテーブルとしては、テーブル面の長辺及び短辺の寸法比率を２：１とし、テーブル面の長辺をライトテーブル面の短辺と同寸としたサイドテーブルを有するライトテーブルが開示されている（例えば、特許文献２参照）。
【０００６】
また、色味と輝度を変化させることが可能なライトテーブルとしては、筐体本体の上壁が、検査対象物を載せるための透光性シートにより構成されるとともに、筐体本体の内部には、透光性シートに平行な導光板と、導光板の端面の入射部に向けて光を照射する複数の発光ダイオードと、発光ダイオードに電流を供給する電源回路とが配置された欠陥検査用ライトテーブルであって、導光板は、拡散剤が均一に分散させられている光散乱導光板であり、発光ダイオードは、その発する光の波長が、赤、青、緑又は赤、青、黄のいずれかの三種類以上を有しており、電源回路は、発光ダイオードの波長ごとにそれぞれ設けられ、各電源回路に、その電流出力を変化させる調光器がそれぞれ接続されていることを特徴とする欠陥検査用ライトテーブルが開示されている（例えば、特許文献３参照）。
【０００７】
すき入れが施された枚葉紙を判別するためのライトテーブルとしては、発光体が裏面に配された傾斜した台座の表面に、中央部に透過性のある半透明のアクリル又はガラスのはめ込まれた鋼製のカバープレートを設けた、紙幣の透かしを認知する置式のライトテーブルが開示されている（例えば、特許文献４参照）
【先行技術文献】
【特許文献】
【０００８】
【特許文献１】実開昭６１−１９８９１６号公報
【特許文献２】実公昭６２−０２８９２４号公報
【特許文献３】特開２００７−２８５９３４号公報
【特許文献４】特開２００６−２０２２４８号公報
【発明の開示】
【発明が解決しようとする課題】
【０００９】
しかしながら、上記特許文献１乃至４は、いずれにおいても積載ブロックごとに検査するものではなかった。図２（ａ）に示すように、検査人が積載ブロック６から一枚ずつすき入れが施された枚葉紙５を手に取ってライトテーブル台３´に置いて検査する場合において、検査人が積載ブロック６から一枚ずつすき入れが施された枚葉紙５を手に取り易くするために、検査人自ら手作業で積載ブロックを捌き、すき入れが施された枚葉紙５間にエアーを入れていたが、作業負荷があると共に、図２（ｂ）に示すように積載ブロックのすき入れが施された枚葉紙５同士が静電気７により吸着してしまい、すき入れが施された枚葉紙５を取り出せない、又は、吸着された複数枚のすき入れが施された枚葉紙５を取り出すことがあり、すき入れが施された枚葉紙５同士を剥がすのに時間がかかり、作業効率が悪くなる問題あった。
【００１０】
本発明は、このような従来の問題を解決することを目的としたもので、検査人自ら手作業で積載ブロックを捌き、すき入れが施された枚葉紙間にエアーを入れる作業負荷を軽減し、積載ブロックのすき入れが施された枚葉紙同士が静電気により吸着することがない静電気除去機能を有する送風装置を備えたライトテーブルを提案することを目的とする。
【課題を解決するための手段】
【００１１】
本発明の静電気除去機能を有する送風装置を備えたライトテーブルは、被検査対象のすき入れが施された枚葉紙が所定枚数積載された積載ブロックを載せるための検査物荷台、一枚ずつすき入れが施された枚葉紙を検査するためのライトテーブル台及び検査が終了したすき入れが施された枚葉紙を積載するための検査済み荷台を有するライトテーブルであって、検査物荷台は、筐体から成る第１の荷台及び第１の台座を有し、第１の荷台の筐体内に第１の台座を所定の傾斜角度にするための第１の荷台昇降装置が設けられ、第１の荷台と第１の台座は、傾斜角度の支点となる第１の固定部と第１の荷台昇降装置の第１の支柱によって固定され、第１の荷台の所定の箇所には、積載ブロックのすき入れが施された枚葉紙間にエアーを入れると共に、枚葉紙間に生じる静電気を除去するための静電気除去機能を有する送風装置を有し、ライトテーブル台は、筐体から成るライトテーブルを有し、筐体から成るライトテーブルの上面は、すき入れが施された枚葉紙を載せて検査するための光透過性板を有し、枚葉紙を載せて検査するための光透過性板は、所定の角度を有して配置され、ライトテーブルの筐体の内部は、光源及び拡散板を有することを特徴とする。
【００１２】
また、本発明の静電気除去機能を有する送風装置を備えたライトテーブルは、送風するためのエアーを取り込むために装着されるエアーフィルタ、エアーを送るための送風ファン及び「＋」「−」の両極性のイオンを発生させるイオナイザを備えることを特徴とする。
【００１３】
本発明におけるライトテーブル台は、第２の荷台を有し、第２の荷台の筐体内にライトテーブルを有する第２の台座を所定の傾斜角度にするための第２の荷台昇降装置が設けられ、第２の荷台とライトテーブルを有する第２の台座は、傾斜角度の支点となる第２の固定部と第２の荷台昇降装置の第２の支柱によって固定されていることを特徴とする。
【００１４】
本発明における第１の荷台昇降装置及び第２の荷台昇降装置は、電動シリンダーによって荷台又はライトテーブルを所定の傾斜角にすることが可能なことを特徴とする。
【発明の効果】
【００１５】
ライトテーブルに静電気除去機能を有する送風装置を設けたことで、検査人自ら手作業で積載ブロックを捌き、すき入れが施された枚葉紙間にエアーを入れる作業の軽減が図れる。さらに、積載ブロックのすき入れが施された枚葉紙間に生じる静電気を防ぐことで、すき入れが施された枚葉紙同士が吸着される問題が軽減され、すき入れが施された枚葉紙を一枚ずつ取り出し易くなり、検査の作業効率が向上する。
【図面の簡単な説明】
【００１６】
【図１】従来のライトテーブル１´を示す図である。
【図２】従来のライトテーブル１´の問題点を示す図である。
【図３】本発明の静電気除去機能を有する送風装置８を備えたライトテーブル１を示す図である。
【図４】本発明における検査物荷台２の一例を示す図である。
【図５】本発明における第１の荷台昇降装置１０の一例を示す図である。
【図６】本発明における静電気除去機能を有する送風装置８の一例を示す図である。
【図７】本発明におけるライトテーブル台３の一例を示す図である。
【図８】本発明におけるライトテーブルの一例を示す図である。
【図９】本発明における第２の荷台昇降装置１３の一例を示す図である。
【図１０】本発明における検査済み荷台４の一例を示す図である。
【図１１】本発明における静電気除去機能を有する送風装置８から積載ブロック６にエアー９が入った状態を示す図である。
【発明を実施するための形態】
【００１７】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００１８】
図３は、本発明における静電気除去機能を有する送風装置８を備えたライトテーブル１の一例を示す図である。図３に示すように静電気除去機能を有する送風装置を備えたライトテーブル１は、検査物荷台２、ライトテーブル台３及び検査済み荷台４を有する。検査物荷台２は、被検査対象のすき入れが施された枚葉紙５が所定枚数積載された積載ブロック６を載せるための荷台である。ライトテーブル台３は、検査物荷台２に置かれた積載ブロック６から一枚ずつすき入れが施された枚葉紙５を手で取り出し、ライトテーブルに置き、目視で検査を行う。検査済み荷台４は、検査が終了したすき入れが施された枚葉紙５を積載するための荷台である。
【００１９】
図４は、本発明における検査物荷台２の一例を示す図である。検査物荷台２の上部には図４のように積載ブロック６を置き、すき入れが施された枚葉紙間にエアーを入れると共に、枚葉紙間に生じる静電気を除去するための静電気除去機能を有する送風装置８が備えられている。検査物荷台２の表面には積載ブロック６がずれないように、積載ブロックずれ防止シートが設けられている（図示せず）。積載ブロックずれ防止シートの材質は、プラスチック、ゴム、ビニール等、特に限定されるものではない。また、積載ブロックずれ防止シートの表面には微細な凹凸を有する形態が好ましい。
【００２０】
図５は、本発明における第１の荷台昇降装置１０の一例を示す図である。第１の荷台昇降装置１０は、第１の台座２ａを所定の傾斜角度にするために設けられ、第１の台座２ａと第１の荷台２ｂは、傾斜角度の支点となる第１の固定部１１と、傾斜角度を所定角度に合わせるための電動シリンダー１９によって昇降する第１の支柱１２を有する。第１の荷台昇降装置１０の内部には電動シリンダー１９が内蔵されてあり、電源スイッチ２６をＯＮ状態にすることで第１の支柱１２が上昇する。また、電源スイッチ２６をＯＮ状態からＯＦＦ状態へ切り替え、上昇している間に任意の傾斜角で停止できるスイッチ一時停止点を備えることができる。上記記載の電動シリンダーは特に限定されることなく油圧シリンダー、空圧シリンダーにおいても実施可能である。
【００２１】
図６（ａ）は、本発明における静電気除去機能を有する送風装置８の一例を示す図であり、図６（ｂ）は本発明における静電気除去機能を有する送風装置８の展開図を示す図である。例えば、静電気除去機能を有する送風装置８は、送風するためのエアーを装着される裏面のエアーフィルタ２０を通して外部から取り込み、エアーはエアーを送るための送風ファン２１を通り、電極針及び電極ユニットを有するイオナイザ２２により「＋」「−」の両極性のイオンを伴ったエアー９を発生させフロントカバー２３から放出される構成である。
本発明における静電気除去とはイオナイザ２２に備えられた放電針２７に交流電圧を印加することでコロナ放電を行い、「＋」と「−」のイオンを交互に発生させる方式を用いて、イオンを伴ったエアー９により枚葉紙同士が静電気により吸着することがないようにしている。ただし、本発明に用いる静電気除去機能を有する送風装置８は、特に限定されるものではなく公知のものを用いることができる。
【００２２】
図７は、本発明におけるライトテーブル台３の一例を示す図である。ライトテーブル台３は、筐体から成るライトテーブルを有する。筐体から成るライトテーブルの上面は、すき入れが施された枚葉紙を載せて検査するための光透過性板１６を有し、枚葉紙を載せて検査するための光透過性板１６は、図７（ｂ）に示すように所定の角度を有している。ライトテーブルの筐体の内部は、図８に示すように光源１７から照射された光を拡散板１８にて拡散させている。光透過性板１６の素材は、ガラス、プラスチック等、特に限定されるものではないが、半透明のプラスチック板の上に透明なガラス板を重ねたものが好ましい。光源１７及び拡散板の種類は特に限定されることなく、ライトテーブルに用いられた公知の光源及び拡散板が採用可能である。ただし、光源１７は長管形光源もしくは環形光源が好ましい。
【００２３】
図７のライトテーブル台３は、荷台を所定の傾斜角度にするための荷台昇降装置を設けない構成で説明しているが本発明はこれに限定されることなく、図５で説明した検査物荷台２と同様な構成の荷台昇降装置を用いることができる。詳細には、図９に示すようにライトテーブル台３は、筐体から成るライトテーブルを有する第２の台座３ａ及び第２の荷台３ｂを有し、第２の台座３ｂの筐体内にライトテーブルを有する第２の台座３ａを所定の傾斜角度にするための第２の荷台昇降装置１３が設けられる。ライトテーブルを有する第２の台座３ａ及び第２の荷台３ｂは、傾斜角度の支点となる第２の固定部１４と第２の荷台昇降装置１３の第２の支柱１５によって固定されている。第２の荷台昇降装置１３の内部には電動シリンダー１９が内蔵されてあり、電源スイッチをＯＮ状態にするとともに第１の支柱が上昇する仕組みである。また、電源スイッチをＯＮ状態からＯＦＦ状態へ切り替え、上昇している間に任意の傾斜角で停止できるスイッチ一時停止点が備わっている。
【００２４】
図１０は、本発明における検査済み荷台４の一例を示す図である。検査済み荷台４には検査済みの製品であるすき入れが施された枚葉紙５を積載する。また、すき入れが施された枚葉紙５を検査済み荷台４に積載する際には検査済み用紙枠２４を用いてすき入れが施された枚葉紙５の散逸防止を図ることができる。また、検査済み用紙枠２４は、積載ブロック６がずれないようにしている。
【００２５】
図１１は、本発明における静電気除去機能を有する送風装置８の背面から積載ブロック６にエアー９が入った状態を示す図である。図１１に示すように、ライトテーブル検査台の用紙積載部に、積載用紙の側面にエアー９が当たるように静電気除去機能を有する送風装置８を設置し、用紙間の静電気を除去すると共にエアー９による隙間が生じるようにして使用する。本発明における静電気除去とはイオナイザ２２に備えられた放電針２７に交流電圧を印加することでコロナ放電を行い、「＋」と「−」のイオンを交互に発生させる方式を用いて、イオンを伴ったエアー９により枚葉紙同士が静電気により吸着することがないようにしている。以上のことから枚葉紙同士が吸着される問題が軽減され、すき入れが施された枚葉紙を一枚ずつ取り出し易くなり、検査の作業効率が向上する。
【符号の説明】
【００２６】
１、１´      ライトテーブル
２、２´      検査物荷台
２ａ          筐体から成る第１の台座
２ｂ          第１の荷台
３、３´      ライトテーブル台
３ａ          筐体から成るライトテーブルを有する第２の台座
３ｂ          第２の荷台
４、４´      検査済み荷台
５            すき入れが施された枚葉紙
６            積載ブロック
７            静電気
８            静電気除去機能を有する送風装置
９            エアー
１０          第１の荷台昇降装置
１１          第１の固定部
１２          第１の支柱
１３          第２の荷台昇降装置
１４          第２の固定部
１５          第２の支柱
１６          光透過性板
１７          光源
１８          拡散板
１９          電動シリンダー
２０          エアーフィルタ
２１          エアー送風ファン
２２          イオナイザ
２３          フロントカバー
２４          検査済み用紙枠
２５          レバーシブルモータ
２６          電源スイッチ
２７          放電針
【図１】
2013096705.tif 000003
【図２】
2013096705.tif 000004
【図３】
2013096705.tif 000005
【図４】
2013096705.tif 000006
【図５】
2013096705.tif 000007
【図６】
2013096705.tif 000008
【図７】
2013096705.tif 000009
【図８】
2013096705.tif 000010
【図９】
2013096705.tif 000011
【図１０】
2013096705.tif 000012
【図１１】
2013096705.tif 000013